Podtech/llm-jp-corpus-v4-ja_patent huggingface dataset:
(57)【要約】      （修正有）【課題】食器洗い乾燥機の水圧による軽量食器の移動を防止する、食器洗い乾燥機の軽量食器洗浄補助具を提供する。【解決手段】一辺が開いた袋状の四角形のネットの四角にバネを取り付け、バネの先端にクリップを取り付けたことを特徴とする食器洗い乾燥機の軽量食器洗浄補助具。【選択図】図１
2007098098.tif 000002
【特許請求の範囲】
【請求項１】
一辺が開いた袋状の四角形のネットの四角にクリップを取り付けたことを特徴とする食器洗い乾燥機の軽量食器洗浄補助具。
【請求項２】
一辺が開いた袋状の四角形のネットの四角にバネを取り付け、バネの先端にクリップを取り付けたことを特徴とする食器洗い乾燥機の軽量食器洗浄補助具。
【発明の詳細な説明】
【技術分野】
【０００１】  本発明は、食器洗い乾燥機の水圧による軽量食器の移動を防止する、食器洗い乾燥機の軽量食器洗浄補助具に関するものである。
【背景技術】
【０００２】  従来、軽量食器を食器洗い乾燥機で洗うとき、水圧でひっくり返りきれいに洗浄できない、飛んでカゴの下にある高熱のヒーターカバーの上に落ちるなどが起きていた。
【発明の開示】
【発明が解決しようとする課題】
【０００３】  そのために、次のような問題点があった。
軽量食器は手洗いしなければならなかった。
本発明は、以上の問題点を解決するためになされたものである。
【課題を解決するための手段】
【０００４】  一辺が開いた四角形の袋状のネットの四角にバネを取り付け、バネの先端にクリップを取り付ける。以上を特徴とする食器洗い乾燥機の軽量食器洗浄補助具である。
【発明の効果】
【０００５】  軽量食器にネットをかぶせる、または、軽量食器を袋状のネットの中に入れ、食器洗い乾燥機のカゴにクリップで取り付けることにより、水圧でひっくり返ったり、飛んだりするのを防ぐことができる。したがって、手洗いする必要がない。
【発明を実施するための最良の形態】
【０００６】  以下、本発明の実施の形態について説明する。
（イ）一辺が開いた四角形の袋状のネット（１）の四角にバネ（２）を取り付ける。
（ロ）バネ（２）の先端にクリップ（３）を取り付ける。
本発明は以上のような構成で、これを使用するときは、軽量食器をカゴにいれ、軽量食器の上に袋状のネット（１）をかぶせ、クリップ（３）を食器洗い乾燥機のカゴに、袋状のネット（１）が張るようにバネ（２）の伸縮を利用して取り付ける。または、クリップ（３）を食器洗い乾燥機のカゴに、開いた辺を上向きまたは左右向きにした袋状のネット（１）が張るようにバネ（２）の伸縮を利用して取り付け、袋状のネット（１）の中に軽量食器をいれる。そして、食器洗い乾燥機で洗浄を行う。
【図面の簡単な説明】
【０００７】
【図１】本発明の斜視図
【符号の説明】
【０００８】１  袋状のネット
２  バネ
３  クリップ
【図１】
2007098098.tif 000003
(57)【要約】【課題】  庭に置くテーブル、ベンチ等はその用途にしか使えず形を変化させることができなかった。また、石材などで作る場合、材料の重さから分解できない形状の物は、持ち運びが困難だった。【解決手段】  複数種類の異なる形状のパーツに穴を設ける。容易に抜けにくい形状のピンを穴にはめ込むことでパーツをつなげることができ、好みに応じて組み立てることができるガーデングッズ組立セットを提供する。【選択図】図２
2007098096.tif 000002
【特許請求の範囲】
【請求項１】
複数の形状のパーツを作成しそれに穴を設け、ピンを穴にはめてパーツ同士を好みに応じて組み立て、また組み替えることができるガーデングッズ組立セット。
【請求項２】
パーツを組み立てるピンを容易に抜けないようにするため、凹凸を設けた請求項１記載のガーデングッズ組立セット。
【発明の詳細な説明】
【技術分野】
【０００１】  本発明は、組み替え可能のパーツを組み立てて庭で使うテーブル、ベンチ等をつくることができるガーデングッズ組立セットに関するものである。
【背景技術】
【０００２】  従来の庭で使用するテーブルやベンチ等はそれぞれの用途としてしか機能しなかった。
【発明の開示】
【発明が解決しようとする課題】
【０００３】  庭に置くテーブルやベンチ等は形を変えることはできないので変化を楽しむことはできなかった。また、石材などで作る場合、材料の重さから分解できない形状の物は持ち運びが困難だった。【０００４】  本発明は、このような従来の構成が有していた問題を解決しようとするものであり、組み替えることで様々なものを組み立てることができるガーデングッズ組立セットを提供することを目的とするものである。
【課題を解決するための手段】
【０００５】  本発明は上記目的を達成するために、複数種類の異なる形状のパーツに穴を設ける。穴は組み立て方を考慮して、適当な場所に、パーツの形に合わせて設ける。パーツをつなぐためのピンを穴に差し込み、組み立てる。ピンは円柱型だと抜けやすい。そこで、凹凸部を設ける。パーツの穴に形を合わせてはめ込み、９０度回転させるとはまる。抜くときは、９０度逆に回転させる（図１）。玩具ブロック等の表面の凹凸により組み合わせる方法と異なり、パーツの穴に凹凸を設けたピンを入れて組み立てることを特徴とする。また、石材などで作る場合には、持ち運びに便利である。
【発明の効果】
【０００６】  上述したように本発明は、パーツを好みに応じて組み替え、ガーデングッズとして使用することができる。
【発明を実施するための最良の形態】
【０００７】  本発明の実施の形態を図面に基づいて説明する。【０００８】  ピンは、円柱型だと抜けやすい。そこで、図１においてピン１に凹凸部を設ける。パーツにはピンに合った形状の穴が設けられている。パーツの穴に形を合わせてピン１をはめ込み、９０度回転させるとはまる。回転させてはめることにより、簡単に外れないように組み立てることができる。抜くときは、９０度逆に回転させる。【０００９】  図２においてピン１はパーツに差し込んでパーツを固定させる役割をする。パーツ２、パーツ３に穴を設け、ピン１を使用してパーツ２とパーツ３を固定する。【００１０】  組み合わせたい各パーツに穴を設ける。その穴と、ピン１の太さは、ピン１がちょうどパーツの穴に差し込めて安定する太さとする。ピン１の表面は、パーツが傷つきにくく且つ滑りにくい材質の物で覆い、保護する。【００１１】  組立方法は図２において、円柱であるパーツ３を、４個ピン１をそれぞれに使用してパーツ２にはめ込む。組み立てたパーツはテーブルとなり、パーツ４を周囲に置くと椅子として使える。【００１２】  図３は図２で示したパーツを組み立てた状態、組立例１を示す。庭に置くテーブルを組み立てることができる。４を置き、テーブルと椅子として使用することができる。【００１３】  図４は組立例２のパーツを示す。パーツ６を、ピン１を使用してパーツ５と固定する。【００１４】  図５は図４に示す組立例２を組み立てた状態を示す。庭に置くベンチとして使用することができる。【００１５】  図６は組立例３を示す。これは、パーツ３をパーツ５にピン１で固定して組み立てた状態である。このように組立例１で使用したパーツ３と組立例２で使用したパーツ５を組み合わせて細長いテーブルを組み立てることができる。これ以外にも、同じパーツを使って違う形に組み立てることができる。また、違う形状のパーツを使用したり組み合わせを替えたりすることで様々な形状のものを組み立てることができる。
【図面の簡単な説明】
【００１６】
【図１】本発明の実施形態を示すピンとパーツ斜視図
【図２】本発明の実施形態を示す組立例１のパーツ斜視図
【図３】本発明の実施形態を示す組立例１の斜視図
【図４】本発明の実施形態を示す組立例２のパーツ斜視図
【図５】本発明の実施形態を示す組立例２の斜視図
【図６】本発明の実施形態を示す組立例３の斜視図
【符号の説明】
【００１７】          １    ピン
２、３、４、５、６    パーツ
【図１】
2007098096.tif 000003
【図２】
2007098096.tif 000004
【図３】
2007098096.tif 000005
【図４】
2007098096.tif 000006
【図５】
2007098096.tif 000007
【図６】
2007098096.tif 000008
(57)【要約】      （修正有）【課題】    鼻かぜや鼻炎の症状である鼻水・鼻詰まりに対し、これを解消、または軽減するために、鼻および鼻周辺部を外皮から温熱する、鼻用使い捨てカイロを提供する。【解決手段】  鼻用使い捨てカイロＡは、鼻および鼻周辺部を覆うように、通気性のある袋Ｂに、鉄粉、活性炭、塩類、水等を主成分とする発熱物質Ｃを充填し、鼻および鼻周辺部に良く接触するよう、袋の鼻に当たる面に凹凸を設け、両端に耳に懸けられる伸縮性のある紐の輪Ｄをつけたことを特徴とする。【選択図】  図２
2007098092.tif 000002
【特許請求の範囲】
【請求項１】
鼻および鼻周辺部を覆う形状をした通気性のある袋に、鉄粉、活性炭、塩類、水等を主成分とする発熱物質を充填し、鼻に良く接触するように袋の鼻に当たる面に凹凸を設け両端に耳に懸けられる伸縮性のある紐の輪をつけた鼻用使い捨てカイロ。
【発明の詳細な説明】
【技術分野】
【０００１】  この発明は、鼻用使い捨てカイロに関するものである。
【背景技術】
【０００２】  鼻かぜや鼻炎にかかったとき、かぜ薬、マスク、鼻スプレー、うがいなどで対処しているが、近年の花粉症に対しては、かぜ薬の効果も一時的で、多用すれば胃腸障害などをおこし副作用がある。マスクの使用は花粉症の予防にはなっても、花粉症で鼻かぜが発症してしまっては、症状を軽減するまでにはいたっていない。また、鼻スプレーには鼻粘膜への刺激があり、それによって鼻粘膜を損傷させる。特に花粉症の場合、鼻水や鼻詰まりで鼻をかむ、このことによって更に鼻粘膜を損傷し、症状は悪化していく。
【発明が解決しようとする課題】
【０００３】  本発明の鼻用使い捨てカイロは、鼻および鼻周辺部を、外皮から温熱することにより、鼻腔の血流を促進し、併せて鼻粘膜を修復、それによって鼻水・鼻詰まりの解消を目指すものである。
【課題を解決するための手段】
【０００４】  鼻および鼻周辺部を外皮から温熱するために、鉄粉、活性炭、塩類、水等を主成分とする発熱物質を、図２に示すように、鼻および鼻周辺部を覆う形状をした通気性のある袋に充填し、鼻および鼻周辺部に良く接触するよう、図３のごとく袋の鼻に当たる面に凹凸を設け、両端に耳に懸けられる伸縮性のある紐の輪をつけた鼻用使い捨てカイロ。
【発明の効果】
【０００５】  鼻および鼻周辺部を温熱するだけなので、副作用は一切なく、鼻粘膜を刺激することもない。鼻かぜや鼻炎に対し、鼻および鼻周辺部を温熱する治療法はないが、温熱することによりて鼻腔の血行を良くするため、鼻粘膜を修復する。発明者の体験だが、就寝時に鼻用使い捨てカイロを装着し、２〜３時間で鼻水・鼻詰りが解消し、その後、鼻用使い捨てカイロを外しても安眠できた。形状についての効果を述べると、鼻筋にあたる部分を凹にしているため、顔面にそって曲がりやすく、鼻の側面から頬にかけて凸に形成されており、発熱物質が多く充填され、加温の効果を高めている。また、装着する方法として、粘着材で鼻に固着することも考えられるが、鼻かぜや鼻炎のとき、鼻および鼻周辺部は神経が過敏になっており、鼻に悪い刺激を与える。従って、マスクのように両耳に懸けられる伸縮性のある紐の輪で装着するのが最もよい方法である。
【発明を実施するための最良の形態】
【０００６】  鼻および鼻周辺部を効率よく温熱するためには、鼻および鼻周辺部と鼻用使い捨てカイロがよく接触する必要があり、鼻筋にあたる部分を凹にして、鼻の側面から頬にかけて凸にすることによって、加温の効果を高めている。また、通気性のある袋の素材として不織布を使用すれば、柔軟性が増し接触性もよくなる。更に皮膚の火傷も防止するために、不織布の厚さを調整することによって対処できる。
【図面の簡単な説明】
【０００７】
【図１】  本発明を装着した正面図
【図２】  本発明の平面図
【図３】  図２，Ｅ−Ｅ線における断面図
【符号の説明】
【０００８】  Ａ    本発明の鼻用使い捨てカイロ
Ｂ    通気性のある袋
Ｂ１  通気性のある袋の外側
Ｂ２  通気性のある袋の内側（鼻および鼻周辺部にあたる面）
Ｃ    発熱物質
Ｄ    伸縮性のある紐の輪
【図１】
2007098092.tif 000003
【図２】
2007098092.tif 000004
【図３】
2007098092.tif 000005
(57)【要約】【課題】  洗濯物をハンガーに干すとき、簡単で素早く、片手でも干すことができる合理的な方法はないものか。【解決手段】  ハンガー骨格本体上部に支点位置となる空洞部を設け、その支点に二股ピンチを設置し、骨格本体側面と平行に二股ピンチを左右に振ることができる。これにより骨格本体側接触部と接触することで洗濯物を保持し、片手でも洗濯物を干すことができる。【選択図】          図４
2007098100.tif 000002
【特許請求の範囲】
【請求項１】
ハンガーの形は逆Ｕ字型をした骨格本体上部に二股ピンチを差し込む空洞部を設け、その空洞部は二股ピンチの支点位置となり、二股ピンチを骨格本体内側に差し込むことができる。二股ピンチの形状は横棒状支点から二股柱が下に伸びていて、先端内側に二股ピンチ接触部が設けられ、二股柱外側中央左右に二股ピンチ凸部が設けられている。支点位置真下の骨格本体側面下に二股ピンチ凸部と接触する骨格本体側接触部が設けられ、その中央には二股ピンチ凸部固定穴を設けるか、内側に凹部を設けてあることを特徴とする二股ピンチを用いた片手でピンチ。
【請求項２】
骨格本体側面と平行に支点位置を中心に二股ピンチを左右に振ることができ、斜めに傾けた二股ピンチに洗濯物を差し込み、骨格本体側接触部に移動することにより、洗濯物を骨格本体に固定することができることを特徴とする請求項１記載の二股ピンチを用いた片手でピンチ。
【発明の詳細な説明】
【技術分野】
【０００１】  本発明は洗濯物干しハンガー類付属の挟み具の方法に関する。
【背景技術】
【０００２】  従来の技術で、より優れた技術は幾つか存在する（特許文献１参照）。【特許文献１】特開平１０−００６６７７号公報（図１）
【発明が解決しようとする課題】
【０００３】  洗濯物をハンガーに干す時に、簡単で素早く、片手で挟むことができる合理的な方法はないものか。
【課題を解決するための手段】
【０００４】  上記の目的を達成する為、本発明の、二股ピンチを用いた片手でピンチでは、ハンガーの形は逆Ｕ字型をした骨格本体上部に二股ピンチを差し込む空洞部を設け、その空洞部は二股ピンチの支点位置となり、二股ピンチを骨格本体内側に差し込むことができる。二股ピンチの形状は横棒状支点から二股柱が下に伸びていて、先端内側に二股ピンチ接触部が設けられ、二股柱外側中央左右に二股ピンチ凸部が設けられている。支点位置真下の骨格本体側面下に二股ピンチ凸部と接触する骨格本体側接触部が設けられ、その中央には二股ピンチ凸部固定穴を設けるか、内側に凹部を設ける。
【０００５】  また本発明の、二股ピンチを用いた片手でピンチは、骨格本体側面と平行に支点位置を中心に二股ピンチを左右に振ることができ、斜めに傾けた二股ピンチに洗濯物を差し込み、骨格本体側接触部に移動することにより、洗濯物を骨格本体に固定することができる。
【０００６】  また本発明の、二股ピンチを用いた片手でピンチでは、ハンガーの骨格本体側面に二股ピンチ凸部が収まる二股ピンチ収納穴を設けることにより、二股ピンチを骨格本体に斜めに収納することが可能となる。
【０００７】  本発明の、二股ピンチを用いた片手でピンチでは、二股ピンチの形は強度と材料を軽量化するため、横棒状支点の横側左右を凹形にし、凸部の裏側も凹形にする。更に凸部と先端の間も凹形とすることで、強度が保たれる。また、二股ピンチ先端内側の二股ピンチ接触部の形状は横溝波形が一般的ではあるが、凹凸形、Ｖ字形、逆Ｖ字形、など多種多様な溝形が考えられる。
【０００８】  本発明の、二股ピンチを用いた片手でピンチでは、材料にプラスチックなどの合成樹脂が主ではあるが、金属、木製なども考えられる。その場合、二股ピンチの形は横棒状支点の下に二股柱をピンなどで取り付け左右可動型とし、二股柱の間にコイルバネ又は棒バネ又は板バネを用いることで可能となる。
【０００９】  また本発明の、二股ピンチを用いた片手でピンチの、二股ピンチの大きさは、高さ、幅、厚さを、それぞれ１ｍｍ〜２００ｍｍとし、高さ７０ｍｍ、幅１５ｍｍ、厚さ５ｍｍ〜１０ｍｍを好適な大きさとする。またハンガーの形、二股ピンチの形は、造形技術により多少変化する。
【発明を実施するための最良の形態】
【００１０】  図１ａ、図１ｂ、図２ｃ、図２ｄ、図３、図４は本発明の、二股ピンチを用いた片手でピンチの好適な実施の形態を示した一つの例である。【００１１】  図１ａは洗濯物を挟む前の状態を示し、図１ｂは図１ａのときのピンチの状態を表したものである。骨格本体１の上部に空洞部２を設け、二股ピンチ１１を差し込むことができる。二股ピンチ１１の形状は横棒状支点３から二股柱４が下に伸び、先端内側に二股ピンチ接触部５が設けられ、二股柱外側中央左右に二股ピンチ凸部６が設けられている。支点位置真下に二股ピンチ凸部６と接触する骨格本体側接触部７が設けられ、その中央に二股ピンチ凸部固定穴８を設けるか、内側に凹部を設ける。また、骨格本体側面９に二股ピンチ収納穴１０を設けることにより、ハンガー未使用時の収納性を向上させている。また、横棒状支点３、二股ピンチ凸部６、二股柱４の各部には二股ピンチ１１の軽量化、強度化の為の凹部１２が施されている。【００１２】  図２ｃは洗濯物を挟む時の状態を示し、図２ｄは図２ｃのときのピンチの状態を表したものである。【００１３】  図３は図２ｃのＡ切断面図であり、二股ピンチ凸部６が二股ピンチ凸部固定穴８にある状態を示したものである。【００１４】  図４はハンガーに取り付けられた二股ピンチの概念図である。
【発明の効果】
【００１５】  以上説明したように、二股ピンチを用いた片手でピンチを用いることで、洗濯物を簡単に素早く、片手でも干すことができ作業性に優れ、忙しい現代に於いて必要不可欠な商品となる。また、ハンガーの収納時にはピンチが絡まることがなく、合理的に片付けることができる。また、部品点数が少なくコスト削減にも貢献し、付加価値を高め、社会の要求に答えることができる。
【図面の簡単な説明】
【図１】ａは本発明の、二股ピンチを用いた片手でピンチの二股ピンチを斜め状態にした側面図。  図１ｂは本発明の、二股ピンチを用いた片手でピンチの図１ａに於いて洗濯物を挟む前のピンチが開いている状態である。
【図２】ｃは本発明の、二股ピンチを用いた片手でピンチの二股ピンチを真下に移動した状態の側面図。  図２ｄは本発明の、二股ピンチを用いた片手でピンチの図２ｃに於いて洗濯物を挟むときのピンチが閉じている状態である。
【図３】本発明の、二股ピンチを用いた片手でピンチの図２ｃに於いてのＡ切断面図。
【図４】本発明の、二股ピンチを用いた片手でピンチの概念図である。
【符号の説明】
１    骨格本体２    空洞部３    横棒状支点４    二股柱５    二股ピンチ接触部６    二股ピンチ凸部７    骨格本体側接触部８    二股ピンチ凸部固定穴９    骨格本体側面１０  二股ピンチ収納穴１１  二股ピンチ１２  二股ピンチ軽量化、強度化の為の凹部造形部
【図１】
2007098100.tif 000003
【図２】
2007098100.tif 000004
【図３】
2007098100.tif 000005
【図４】
2007098100.tif 000006
(57)【要約】【課題】トイレットペーパーを、可動軸と可動板の動きにより、切りやすくした、カッテングペーパーホルダーを提供する。【解決手段】上部からペーパーを入れるのでペーパーのセットがたやすく、ペーパーを引き出して切る時も可動板が前後に動くのでペーパーを切る力により内側の可動板に力がかかり中のペーパーを押さえる、これにより手に障害のある方もペーパーを切るのが楽になる、可動板と可動軸を装着したことを特徴とするカッテングペーパーホルダー。【選択図】図１
2007098095.tif 000002
【特許請求の範囲】
【請求項１】
トイレットペーパーを上部より入れ、引き出し口から必要量のペーパーを引き出し、ペーパーを切る時に、可動軸が働いて可同板が前後に動き、前に出た可動板にペーパーを当て左に引くと切れる、この時、前に出た可動板にかかった力により、内側の可動板が中心に向かって動き中のペーパーを押さえる、このことにより余分なペーパーがほぐれ出るのを防ぐ、可動軸と可動板を装着したことを特徴とするカッテングペーパーホルダー。
【発明の詳細な説明】
【技術分野】
【０００１】  本発明は、トイレットペーパーの挿入が簡単でペーパーのカットが楽な、カッテングホルダーに関するものである。
【背景技術】
【０００２】  従来のトイレットペーパーを取り付ける型は、横にペーパーをセットし、ペーパーを縦に引いて切るものが多かった。
【発明の開示】
【発明が解決しようとする課題】
【０００３】  そのために、次のような問題点があった。
（イ）トイレットペーパーの軸がよく金具にはまっていないと、ペーパーを下に引いた時ペーパーがはずれて、落下することがあった。
（ロ）ペーパーを切るためには、両手を使う必要があり、手に障害のある方は大変であった。本発明は、これらの問題を解決するためになされたものである。
【課題を解決するための手段】
【０００４】  トイレットペーパーを上部から入れ、ペーパーを横から引き出すため、ペーパーが外れ落下することがない、ペーパーを切る時も可動板が可動軸により前後に動き、片手でペーパーを切ることができる。
【発明の効果】
【０００５】  必要量のペーパーを右に引き出して、前から左へ引いて切る、この時可動軸が動き中の可動板がペーパーを押さえるのでむだなくペーパーをきることができる。
【発明を実施するための最良の形態】
【０００６】  以下、本発明の実施の形態について説明する。
（イ）ペーパーを上部より入れ、引き出し口（５）から出す。
（ロ）軸（２）にスポンジ（３）を付けることにより、トイレットペーパーの空滑りを防ぐ。
（ハ）上部よりペーパーを入れ、横の引き出し口（５）より必要量のペーパーを右に引き出して、切る時は、ペーパーを左にたおして可動板（６）に当て切る、このとき前面の可動板（６）は前に押し出され、これと同時に内側の可動板（６）は、ペーパーを切るときに、かかる力により中心に向かって動き中のペーパー（４）を押さえ、余分なペーパーのほぐれるのを防ぐ。
【図面の簡単な説明】
【０００７】
【図１】本発明の斜め上より見た図
【図２】本発明の真上から見た図
【図３】可動板の立体図
【符号の説明】
【０００８】  １      外枠
２      軸
３      スポンジ
４      トイレットペーパー
５      ペーパー引出し口
６      可動板
７      可動軸
８      取り付け金具
【図１】
2007098095.tif 000003
【図２】
2007098095.tif 000004
【図３】
2007098095.tif 000005
(57)【要約】【課題】  閉じた傘を一時的に保持してくれ、使用後はコンパクトに収まる仕組みを持った傘保持具を提供する。【解決手段】  渦巻状のスプリングを備えた円形状の開口部を中央部位に有する扁平状のホルダー本体と、当該ホルダー本体とヒンジ部を介して係止手段で開閉可能に延設された扁平状のカバーと、当該カバーを壁面に取り付けるための取付手段からなることを特徴とする傘保持具。【選択図】  図１
2007098093.tif 000002
【特許請求の範囲】
【請求項１】
渦巻状のスプリングを備えた円形状の開口部を中央部位に有する扁平状のホルダー本体と、当該ホルダー本体とヒンジ部を介して延設された扁平状のカバーと、当該カバーと前記ホルダーの開閉を係止するための係止手段と、当該カバーを壁面に取り付けた時に前記ホルダーを水平状態に保持できるように形成されたストッパーとからなることを特徴とする傘保持具。
【発明の詳細な説明】
【技術分野】
【０００１】  本発明は、閉じた傘を一時的に保持してくれ、使用後はコンパクトに収まる仕組みを持った傘保持具に関するものである。
【背景技術】
【０００２】  従来、屋内、特にトイレや車内、劇場、映画館などに入った際の傘の置き場は特になく、トイレの片隅や座席の背もたれなどに立てかけたり引っかけたりしていた。そのため、ちょっとした衝撃で倒れたり、辺りを濡らすことが多かった。最近では傘用の細長いビニール袋が置かれるようになったが、それでもその傘を手から放し一時的に置いておく、専用の場所はなかった。
【発明の開示】
【発明が解決しようとする課題】
【０００３】  そのために次のような問題点があった。
（イ）トイレの中では、片隅にそっと立てかけるので、触れて倒したり、又、壁のフックにかけると他の荷物がかけられなかったり、壁や荷物が濡れたりしていた。
（ロ）自家用車、長距離バスや電車の中には、傘を置く場所が特にはなく、床に置いたり前の座席の背もたれに引っかけたりしており、狭い車内でかなりの場所を専有し、また、触れるとすぐ倒れたりしていた。
（ハ）待合所や劇場などでも常に自分で持っていなければならなかった。
本発明は以上の問題点を解決しようとするためのものである。
【課題を解決するための手段】
【０００４】  各所の壁面や背もたれ等に取り付け、使用時のみ出現させ、その中心部に設けた渦巻状のスリングの中に傘を差し込み、一時的に傘を保持させる傘保持具であって、使用後はスプリングが縮み元の扁平状に戻るので、また壁面や背もたれに収納することができる。以上を特徴とする傘保持具である。
【発明の効果】
【０００５】  使用時のみ出現し、使用しない時はコンパクトに収納しておけるのでじゃまにならない。
また、中心部に弾性のあるスプリングを用いることで傘の長さがどうであっても、折りたたみ傘であっても自由に対応できる。
長時間傘を手に持っている必要もなくなるし、倒れる心配をすることもなくなり、安心である。
【発明を実施するための最良の形態】
【０００６】  以下、本発明の実施の形態について説明する。
（イ）扁平状のホルダー    （１）の中央部位に開けた円形状の開口部（８）に渦巻状のスプリング（２）を設ける。
（ロ）ホルダー（１）に、扁平状のカバー（３）を、ヒンジ部（７）を介して開閉可能に延設する。
（ハ）ホルダー（１）の端部にマグネットの係止部（４）を設け、ホルダー（１）を閉じた時のカバー（３）の適合部位に同じくマグネットの係止受部（５）を設ける。
（ニ）カバー（３）には、壁面等に取り付けるためのビス穴（６）を四隅に４ヶ所設ける。
（ホ）カバー（３）を壁面に取り付けた時に、ホルダー（１）が水平状態で保持できるように、ホルダー（１）のヒンジ部（７）近傍にストッパー（９）を設ける。
本発明は以上のような構造で、これを使用するときはホルダー（１）を手前に倒し、スプリング（２）の中心に傘の先端を差し込む。使用後は傘を持ち上げ、スプリング（２）から完全に抜き取ってからホルダー（１）を起こし、元の位置にもどす。
【図面の簡単な説明】
【０００７】
【図１】本発明の斜視図
【図２】本発明のホルダーを閉じた状態を示す斜視図
【図３】本発明の使用状態を示す図
【図４】本発明のホルダーを開いた状態を示す側面図
【図５】本発明のホルダーを閉じた状態を示す側面図
【符号の説明】
【０００８】      １    ホルダー
２    スプリング
３    カバー
４    係止部
５    係止受部
６    ビス穴
７    ヒンジ部
８    開口部
９    ストッパー
【図１】
2007098093.tif 000003
【図２】
2007098093.tif 000004
【図３】
2007098093.tif 000005
【図４】
2007098093.tif 000006
【図５】
2007098093.tif 000007
(57)【要約】      （修正有）【課題】インサートを製品中に深く埋設した際にも、軸のブレを押さえて安定して製品を吊上げることができる吊上治具を提供する。【解決手段】  製品に埋設された吊上用インサートとの契合部分（２）に接続してスペーサー部分（４）を有し、スペーサ部分（４）に接続する吊上治具シャフト（１）を介してワイヤーとの係合部分（３）を有する吊上治具である。つり上げ治具（１１）を埋設するコンクリート製品には、スペーサ部分（４）の形状に合致したつり上げ用インサートの上方の空間（１５）を設ける。【選択図】図１
2007098878.tif 000002
【特許請求の範囲】
【請求項１】
製品に埋設された吊上用インサートの上方の空間の形状に対応した形状のスペーサー部分を、吊上用インサートとの係合部分およびワイヤーとの係合部分との間に有する、吊上治具。
【請求項２】
吊上用インサート上の空間の形状が、円錐台である、請求項１記載の治具。
【請求項３】
製品がコンクリート製品である、請求項１記載の治具。
【発明の詳細な説明】
【技術分野】
【０００１】
本発明は、製品吊上治具、特にはコンクリート製品吊上治具に関する。
【背景技術】
【０００２】
従来より、製造後に運搬・設置する必要のある大型のコンクリート製品を製造する際には、吊上のために製品内部に吊上用インサートを埋設して製造していた。しかし、吊上用インサートは通常プラスチック製であり、コンクリート製品内の異物として残存するため、コンクリート製品の長期的な強度に悪影響を与えるおそれがあった。そのため、インサートを埋設する深さをより深くすることが試みられている。
研究の結果、埋設されたインサートの上端の表面が、製品の表面から２５ｍｍ以上の深さにある場合には、プラスチック製のインサートを使用してもコンクリート製品の長期的な性能の劣化をもたらさないことが見いだされた。
しかし、インサートを製品の表面から２５ｍｍも深く埋設すると、これと係合させて製品を吊り上げるための吊上治具のシャフトが長くなり、シャフトに大きな力がかかるため、吊上作業中にシャフトが動いて製品が安定せず危険であり、またシャフトが損傷する危険も大きくなるという課題が生じた。
【発明の開示】
【発明が解決しようとする課題】
【０００３】
本発明は、インサートを製品中に深く埋設した際にも、安定して製品を吊上げることができる吊上治具を提供することを目的とする。
【課題を解決するための手段】
【０００４】
本発明は、製品中に埋設された吊上用インサートの上方の空間の形状に対応した形状のスペーサー部分を、吊上用インサートとの係合部分およびワイヤーとの係合部分との間に有する、吊上治具を提供する。
「埋設された吊上用インサートの上方の空間の形状」とは、埋設された吊上用インサートの上方に広がる、埋設されたインサートの上端が外部に現れる面（以下、「インサートの埋設面」と呼ぶ）と、製品表面から深さ方向に伸びる凹部の側面とにより形成される空間の形状をいう。これは後述の図２を参照すれば明瞭に理解することができ、インサートの埋設面１４と、埋設部分の製品の側面１３により形成される空間１５が、「埋設された吊上用インサートの上方の空間」である。
「埋設された吊上用インサートの上方の空間の形状」は任意であり、たとえば円柱、角柱、円錐台、角錐台などの形状であることができるが、好ましくは円柱または円錐台形状であり、最も好ましくは上面が大きなすり鉢状の円錐台形状である。なお、円錐台形状とは、円錐を円錐の底面とほぼ平行な面で切断し、頂部方向の部分を取り除いた形状を言う。一般的には円錐台の底面および上面はほぼ円形であり、底面に直角な平面による断面は略台形である。
スペーサー部分はこの空間の形状に対応した形状を有する。したがって、スペーサー部分の形状も任意であり、たとえば円柱、角柱、円錐台、角錐台などの形状であることができるが、好ましくは円柱または円錐台形状であり、最も好ましくはすり鉢状の円錐台形状である。
また本発明の治具は、典型的にはコンクリート製品について使用されるが、インサートを深く埋設して製造される任意の構造物、たとえばプラスチック製品についても使用できる。
【０００５】
吊上用インサートとは、製品中に埋設され、吊上治具と係合する手段を有するものをいう。多くの形状および構造のインサートが公知である。
インサートは製品中に埋設されている。典型的には前述のように、製品の表面から２５ｍｍ以上の深さで埋設されている。
吊上用インサートとの係合部分とはインサートと係合するための吊上治具の部分をいい、ワイヤーとの係合部分とはワイヤーと係合するための吊上治具の部分をいう。
本発明の治具の特徴はスペーサー部分にあり、インサートとの係合部位およびワイヤーとの係合部位の形状および構造に関わりなくすべての公知のインサートと吊上治具との組み合わせにおいて有用である。
【発明の効果】
【０００６】
本発明の治具を使用することにより、吊上作業時の製品の挙動が安定し、作業を安全に行うことができる。また、吊上治具のシャフトにかかる力を低減し、吊上治具の劣化および破損を防止する。
【発明を実施するための最良の形態】
【０００７】
本発明にかかる吊上治具の例を図１に示す。
本発明の治具１は、吊上用インサートとの係合部分２と、ワイヤーとの係合部分３を有し、その間にスペーサー部分４を有する。該スペーサー部分４は、吊上用インサートの埋設面と、製品表面から深さ方向に伸びる凹部の側面とにより形成される形状を有する。
【０００８】
次に、本発明におけるインサートの埋設状態の例を図２に示す。
インサート１１はコンクリート製品１０中に埋設されている。典型的には、インサート１１の埋設面１４と製品の表面１２とは２５ｍｍ以上離れている。この際、インサート１１の埋設面と、埋設部分の製品側面１３とにより空間１５が形成される。
図２のインサート１１と、図３に示す従来技術の吊上治具を係合すると、治具のシャフト部分が細いため、吊上時にインサート１１の上方の空間１５内で軸の方向がぶれ、吊上られる製品が安定せず、作業に危険が生ずる。また、吊上治具のシャフトに過大な力が作用し、破損する恐れも大きくなる。
これに対し、本発明の吊上治具１では、スペーサー部分が空間１５を満たし、吊上治具の動きを禁止する。そのため、安全に作業をすることができる。
スペーサーの材質は特に制限するものではないが、製品との接触により損傷せず、また製品を傷つけないものであることが望まれる。製品がコンクリート製品である場合には、金属製、特には鉄製のスペーサーが好適に使用される。また製品がプラスチック製品である場合には、プラスチック製、特にはナイロン製のスペーサーが好適に使用される。
【図面の簡単な説明】
【０００９】
【図１】本発明にかかる吊上治具の例を示す図である。
【図２】インサートの埋設状態の例を示す図である。
【図３】従来技術の吊上治具の例を示す図である。
【符号の説明】
【００１０】
１：吊上治具シャフト
２：吊上用インサートとの係合部分
３：ワイヤーとの係合部分
４：スペーサー部分
１０：コンクリート製品
１１：インサート
１２：製品の表面
１３：埋設部分の製品側面
１４：インサートの埋設面
１５：空間
【図１】
2007098878.tif 000003
【図２】
2007098878.tif 000004
【図３】
2007098878.tif 000005
(57)【要約】【課題】  使用勝手が良好なものとなり、すっきりとした状態で浴室内に設置できる浴室手摺りの構造を提供する。【解決手段】  左右の立上部２，３の上端に立ったまま腰部をもたれ掛けることのできる腰掛部４を備え、前記左右の立上部２，３間の前記腰掛部４の下方側に洗面器を置ける空間Ｓが形成されてなる浴室手摺り１において、腰掛部４には水栓６が設けられている。【選択図】  図１
2007020819.tif 000002
【特許請求の範囲】
【請求項１】
左右の立上部の上端に立ったまま腰部をもたれ掛けることのできる腰掛部を備え、前記左右の立上部間の前記腰掛部の下方側に洗面器を置ける空間が形成されてなる浴室手摺りにおいて、前記腰掛部に水栓を設けたことを特徴とする浴室手摺り構造。
【請求項２】
前記腰掛部の下方に棚が設けられていることを特徴とする請求項１に記載の浴室手摺り構造。
【発明の詳細な説明】
【技術分野】
【０００１】
本発明は、浴室に設置される手摺りの構造に関するものである。
【背景技術】
【０００２】
従来、特許文献１に開示されているように、浴室に門形の手摺りが設置されて、この手摺りに沿って洗い場を伝い歩きできるように構成したものが存在する。
【特許文献１】特開２００３−３０４９８１号公報
【発明の開示】
【発明が解決しようとする課題】
【０００３】
従来の浴室では、手摺りとは別に水栓が洗い場に設置されており、手摺りと水栓を別々に設置する必要があるという問題点があった。
【課題を解決するための手段】
【０００４】
本発明は上記従来の問題点に鑑み案出したものであって、浴室内にすっきりとした状態で設置でき、浴室内での使用勝手が良好なものとなる手摺り構造を提供せんとするものであり、その請求項１は、左右の立上部の上端に立ったまま腰部をもたれ掛けることのできる腰掛部を備え、前記左右の立上部間の前記腰掛部の下方側に洗面器を置ける空間が形成されてなる浴室手摺りにおいて、前記腰掛部に水栓を設けたことである。
また、請求項２は、前記腰掛部の下方に棚が設けられていることである。
【発明の効果】
【０００５】
本発明の手摺り構造は、左右の立上部の上端に腰掛部を備え、左右の立上部間の腰掛部の下方側に洗面器を置ける空間が形成されてなる浴室手摺りにおいて、腰掛部に水栓を設けたことにより、下方に洗面器を置いて水栓から洗面器内に吐水させて、良好に洗い場で洗面器を使用した洗髪等を行なうことができ、使用勝手が良好なものとなる。
また、洗い場に別途水栓を設置する必要がなく、コンパクトに洗い場内に水栓と共に手摺りを設置できるものとなる。
【０００６】
また、腰掛部の下方に棚が設けられていることにより、棚上に洗面器を置いて、この洗面器内に水栓からの吐水を溜めて良好に洗髪等を行なうことができるものとなり、また、棚上に小物等を良好に置いて使用することができるものとなる。
【実施例】
【０００７】
以下、本発明の実施例を図面に基づいて説明する。
図１は、第１実施例の浴室手摺りの構成図であり、浴室手摺り１は、パイプ材で形成されており、浴室の床面を構成する防水パンに下端が固定されて立ち上がる左立上部２と右立上部３の上端間が、横方向に長く形成された腰掛部４で連結されて、全体形状が門形となっており、腰掛部４は床面から略７００mm〜８００mm程度の高さ位置に設定されて、一般的な身長の人が立ったまま、この腰掛部４に腰部をもたれ掛けさせて使用できるように設計されている。
【０００８】
なお、この腰掛部４の外周には、腰部をもたれ掛けさせる際にクッションとなるクッション部５が設けられている。
この、腰掛部４には水栓が設けられ、腰掛部４から下方側へ水栓６の吐水口が突出され、水栓６の吐水口から下方側に向かって吐水可能であり、また、水栓６の吐水口を首振り可能に構成して、前後方向にも吐水できるように構成しておくことができるものである。
【０００９】
なお、腰掛部４の下方には、左立上部２と右立上部３間に洗面器７を置くことのできる空間Ｓが形成されており、洗面器７を水栓６の吐水口の下方に置いて、水栓６の吐水口から洗面器７内に良好に吐水して、洗面器７に水を溜め使用することができるものである。
【００１０】
このようにして洗面器７に水を溜めて洗い場で洗髪等を良好に行なうことができるものとなり、また、洗い場から立ち上がる際に腰掛部４を持って良好に立ち上がることができ、また、腰掛部４を手で持って良好に浴槽側へ伝い歩きができるものとなる。
また、立ったままでシャワーを浴びる際には、腰掛部４のクッション部５に腰をもたれ掛けさせて、良好に立った姿勢を維持してシャワー等を行なうことができるものとなる。
また、別途、洗い場の壁面等に水栓を設ける必要がないため、浴室の洗い場がすっきりとしたものとなる。
【００１１】
次に、図２は第２実施例を示すものであり、図２では、浴室手摺り１を構成する左立上部２と右立上部３間に掛け渡し状に、水栓６の下方の空間Ｓ内に棚９が横設されたものであり、この棚９は、両端側が左立上部２及び右立上部３に連結された軸８で上下方向に回動可能に構成しておくことができ、前方側へ水平状態に倒して、棚９上に洗面器７を図３に示すように載せて、洗面器７内に水栓６の吐水口から吐水させて良好に洗髪等を行なうことができるものとなり、使用しない場合には、棚９を後方側へ立ち上げて、前方側へ突出することなくコンパクトに収納させておくことができ、足元に棚９が邪魔になることがなく、使い勝手が良好なものとなる。
なお、棚９は、両端側が左立上部２及び右立上部３に固定されたものであっても良い。
【図面の簡単な説明】
【００１２】
【図１】第１実施例の浴室手摺りの設置状態の概略構成図である。
【図２】第２実施例の浴室手摺りの概略構成図である。
【図３】図２の浴室手摺りの棚を固定させて洗面器を載せて使用している状態の使用状態図である。
【符号の説明】
【００１３】
１  浴室手摺り
２  左立上部
３  右立上部
４  腰掛部
５  クッション部
６  水栓
７  洗面器
８  軸
９  棚
Ｓ  空間
【図１】
2007020819.tif 000003
【図２】
2007020819.tif 000004
【図３】
2007020819.tif 000005
(57)【要約】【課題】  稲若葉の持つ高い栄養価を保持し、健康機能を有し、且つ甘味が改善された加工食品を提供する。【解決手段】  化学肥料及びＣ／Ｎ比１５以下の畜産排泄物を用いないで、あるいは化学肥料及びＣ／Ｎ比１５以下の畜産排泄物を用いず微生物製剤のＥＭ菌を散布して稲を育成し、分けつ開始期から穂ばらみ前の期間に刈りとる。次いで刈り取った稲若葉を従来行われている方法を用いて洗浄、加熱、脱水・乾燥する。更にこれを粉末化し、加工食品に対し１〜１０重量％の範囲で添加する。【特許請求の範囲】
【請求項１】
化学肥料及びＣ／Ｎ比１５以下の畜産排泄物を用いないで生育し、分けつ開始期から穂ばらみ前の期間に刈り取った稲若葉の粉末が添加された加工食品
【請求項２】
微生物製剤のＥＭ菌を散布して生育した請求項１に記載された加工食品。
【発明の詳細な説明】
【技術分野】
【０００１】
本発明は、稲若葉粉末が添加された加工食品に関する。更には化学肥料及びＣ／Ｎ比１５以下の畜産排泄物を用いないで生育し、分けつ開始期から穂ばらみ前の期間に刈り取った稲若葉粉末が添加された甘味が改善された加工食品に関する。
【背景技術】
【０００２】
稲若葉はビタミン類、ミネラル類、食物繊維等に富み、活性酸素消去機能、酸化防止機能及びラジカル消去機能等あるいは腸内環境の改善等に寄与することが知られている。このため、稲若葉は休耕田を活用して専用栽培されたり、田植え時期に発生する余剰の稲苗の活用及び減反のための青刈り稲の活用により栽培されたり、あるいは最終的には米を収穫する稲を若葉の段階で刈り取り、再度成長させ米を収穫する方法等で栽培されていることが報告されている。こうして得られた稲若葉を粉砕して得られる粉末が添加された加工食品が知られている（特許文献１〜５）。しかしながら特許文献１は稲に含まれる成分が活性酸素消去機能、酸化防止機能及びラジカル消去機能を発揮することを発見して達成された健康機能食品に関するものである。また、特許文献２は栄養価を損なわないように後処理した方法を用いて得られた緑葉を含有する加工食品に関するものである。また、特許文献３は効率的に収穫された稲若葉を栄養価が損なわれないように後処理した方法を用いて得られた稲若葉を添加した加工食品に関するものである。また、特許文献４は栄養価が高いことに着目した加工食品に関するものである。更に特許文献５は食感を悪化させることなく、賞味期限および日持ちの向上を図ることを目的としたものである。
【特許文献１】特許第３４２５４０６号公報
【特許文献２】特開２００２−５８４４３号公報
【特許文献３】特開２００２−１９１３２２号公報
【特許文献４】特開２００２−３３０７２４号公報
【特許文献５】特開２００４−２２２５１５号公報
【発明の開示】
【発明が解決しようとする課題】
【０００３】
前述のように、稲若葉粉末を添加して得られる加工食品は健康によく、栄養価も高く、更に加工食品の日持ちを改善することは知られているが、加工食品そのものの味を改善することは知られていない。本発明は加工食品の味を改善し甘味を呈する稲若葉粉末添加加工食品を提供することを目的とする。
【課題を解決するための手段】
【０００４】
本発明者らは化学肥料及びＣ／Ｎ比１５以下の畜産排泄物を用いないで育成し、あるいは化学肥料及びＣ／Ｎ比１５以下の畜産排泄物を用いず微生物製剤のＥＭ菌を散布して生育し、分けつ開始期から穂ばらみ前の期間に刈り取った稲若葉を粉砕して得られる粉末を加工食品に添加することにより、加工食品が甘味を呈することを見出し、本発明を完成するに至った。
【０００５】
本発明の第一は、化学肥料及びＣ／Ｎ比１５以下の畜産排泄物を用いないで育成し、分けつ開始期から穂ばらみ前の期間に刈り取った稲若葉の粉末が添加された加工食品、である。
【０００６】
本発明の第二は、化学肥料及びＣ／Ｎ比１５以下の畜産排泄物を用いず微生物製剤のＥＭ菌を散布して育成し、分けつ開始期から穂ばらみ前の期間に刈り取った稲若葉の粉末が添加された加工食品、である。
【発明の効果】
【０００７】
本発明は、化学肥料及びＣ／Ｎ比１５以下の畜産排泄物を用いないで育成した、あるいは化学肥料及びＣ／Ｎ比１５以下の畜産排泄物を用いず微生物製剤のＥＭ菌を散布して育成した稲若葉の粉末を加工食品に添加することにより、加工食品が甘味を呈すると言う効果を奏する。
【発明を実施するための最良の形態】
【０００８】
以下、本発明を詳細に説明する。
本発明における若葉とは葉、茎及び幼穂を言う。
【０００９】
本発明において、用いられる畜産排泄物のＣ／Ｎ比は１５以下、好ましくは１８以下である。
【００１０】
本発明において、肥料として植物遺骸を用いることができる。
【００１１】
本発明においてＥＭ菌は田植え終了後１週間以内に、１反当たり３０ｋｇ程度を散布する。
【００１２】
本発明において、刈り取り時期は分けつ開始期から穂ばらみ前の期間である。
【００１３】
本発明における刈り取り後の処理について説明する。
【００１４】
刈り取った稲の若葉を水洗する。ここで泥等の異物や不良若葉を除去する。
【００１５】
次に酵素を失活させ、若葉の褪色化を防止するために加熱処理を行う。洗浄処理した若葉を水温９０〜１００℃の水槽に１〜５分間浸漬する。
【００１６】
加熱処理された緑葉は脱水・乾燥処理を行い、水分を５〜１０％程度にする。
【００１７】
次に粉末化する。得られた粉末の成分を表１に示す。
【００１８】
【表１】
2007020504.tif 000002
【００１９】
得られた粉末を加工食品に添加する。加工食品としてはうどん類、パン類、練り製品、菓子、氷菓子等がある。粉末の加工食品への添加量は１〜１０重量％の範囲、好ましくは２〜５重量％の範囲である。少なすぎると甘味が得られない。また多すぎると加工食品の成形性が損なわれるので好ましくない。
【００２０】
以下に実施例を挙げて説明する。
【実施例】
【００２１】
肥料として植物遺骸のみを用いて育成し穂ばらみ直前に刈り取り、粉砕して得られた稲若葉の粉末及び市販の稲若葉の粉末を、それぞれうどんに対して５重量％添加して得られたうどんＡとうどんＢ、更にいずれも添加しないうどんＣを製造した。これらのうどんを調理して９名に食べてもらい食感を比較してもらった。結果を表２に示す。
【００２２】
【表２】
2007020504.tif 000003
【００２３】
表２から、甘味を呈するうどんは本発明の方法で得られた稲若葉粉末を添加したうどんＡのみで他はしょっぱさやえぐさがあることがわかる。
【００２４】
以上説明してきたように、本発明の加工食品は稲若葉のもつ健康機能を備えかつ加工食品に甘味が付与されるので食べやすくなる。
(57)【要約】      （修正有）【課題】  水揚げされた帆立貝、２枚貝、カキ及びホッキ貝等の活貝類を生きたままの鮮度を維持しながら保冷するもので、長時間の輸送に対しても外部の温度に影響されることがない活貝類の輸送用梱包容器の提供。【解決手段】  梱包容器１は、収容体２と蓋体３とより構成され、該収容体の内底部に先ず、冷海水４と活貝類５を挿入する。該活貝類の上部に空気室６を形成する。この空気室を介して不透水の防水シート７を敷設支持し、該防水シートの上面に吸湿紙８を重合敷設する。該吸湿紙の上部にミクロン状の人工海氷９を充填した後、蓋体をして、出荷に供する事を特徴としている。【選択図】  図２
2007020551.tif 000002
【特許請求の範囲】
【請求項１】
活貝類を梱包出荷する時に使用する断熱性を有する発泡合成樹脂等よりなる活貝類の輸送用梱包容器において、該梱包容器は、収容体と蓋体とより構成され、該収容体には、内底部に冷海水を注入すると共に、該冷海水の内部に各種の活貝類を収納し、該活貝類には、上部に空気室を形成すると共に、該空気室を介して不透水の防水シートを敷設し、該防水シートには、上面に吸湿紙を重合敷設し、該吸湿紙には、上部に海水または塩水よりなるミクロン状の人工海氷を載置したことを特徴とする活貝類の輸送用梱包容器。
【発明の詳細な説明】
【技術分野】
【０００１】  本発明は、水揚げされた帆立貝、２枚貝、カキ及びホッキ貝等の活貝類の鮮度を維持しながら冷却を確実に保冷する梱包容器であって、長時間の運送に対しても外部の温度に影響される事なく充分に鮮度を管理することができる活貝類の輸送用梱包容器に関するものである。
【背景技術】
【０００２】  従来この種の活貝類の鮮度を保持するための輸送用の梱包容器には、一般に真水の角氷又は製氷されたものを砕氷し、これをビニール袋に入れ、それを容器内に入れた海水と活貝類の上部に載置した状態で活貝類の輸送用に供しているものが普通に実施されている現状である。
然し、この様な輸送方法では、先ず真水氷では、充分な冷熱エネルギーが無いために、容器内の海水温度が容易に上昇するため保冷効果が充分でない欠点がある。従って、輸送時間の係る長距離の運送に不向きであるため、時間の制限が生ずると云う問題点があった。
【発明の開示】
【発明が解決しようとする課題】
【０００３】  本発明は、上記従来の問題を解決するものであり、その主たる目的とする所は、梱包容器の内底部に冷海水と活貝類を入れ、中央部分に空気層を設け、その上部に防水シートと吸湿紙を敷設し、その上部に海水または塩水よりなるミクロン状の人工海氷を注入充填することによって、容易に溶けにくい人工海氷と、輸送中における上部の人工海氷が下部の冷海水の中の活貝類に侵入することが無く、もし溶けた海水が冷海水の中に入ったとしても、溶けた海水は冷海水と同じである為、活貝の蓄養を妨げることなく、長時間の保持を確保して蓄養に充分対応できる活貝類の輸送用梱包容器を提供するものである。
【課題を解決するための手段】
【０００４】  本発明の活貝類の輸送用梱包容器によれば、断熱性を有する発泡合成樹脂等よりなる梱包容器は、各種形状の収容体と蓋体とより構成され、該収容体には、内底部に冷海水と活貝類を入れる。その上部に空間層の空気室を形成する。空気室を設けた上部に防水シートを敷設する。また、該防水シートの上面に溶けた海水を吸取る吸湿紙を敷設する。この吸湿紙の上部に海水または塩水よりなるミクロン状の人工海氷を注入充填するものである。
【発明の効果】
【０００５】  本発明は、以上説明したように構成されているので、従来の角氷又は製氷した氷をビニール袋に入れた真水氷を容器に入れた活貝と冷海水との上部に浮上させたものの如く、真水氷のような冷熱エネルギーの少ない欠点を解決できると共に、活貝の冷海水の海水温度を上昇するのを著しく防止する効果がある。また、本発明のものは、従来のものより保冷時間が長いため輸送距離が著しく伸びる効果もある。そして、収容体の内底部に冷海水と共に活貝類を挿入し、その上部に空気室を形成したので、対応に応じては、エアーポンプ等による溶存酸素を注入する必要もない効果と、該空気室を介して上部に防水シートを敷設したので、冷気の保冷を維持でき、且つ防水シートの上面に吸湿紙を敷設したことにより、水蒸気及び水滴等を適宜に吸着調整して水蒸気圧を一定に調整する効果がある。また、該吸湿紙の上部に海水または塩水よりなるミクロン状の人工海氷を充填したので、人工海氷の冷気は、吸湿紙と防水シートを伝通して順次空気室の空気を冷却する効果と、活貝類の冷海水が運送中に移動しても冷海水は人工海氷に接触することがなく、人工海氷を直接に溶解することがない効果がある。万一にも人工海氷が溶けても冷海水の塩分濃度は、一定基準値以上を保持できる効果もある。
【発明を実施するための最良の形態】
【０００６】  上記のように構成された、活貝類の輸送用梱包容器によれば、発泡体による収容体の内底部に冷海水を入れた後、運送用の活貝類を挿入し、その上部に空気層を形成した状態で防水シートを敷設して空気室を形成する。この防水シートの上面に溶けた水分を吸取る吸湿紙を敷設し、その後適宜の人工海氷を載置した後に蓋体を以って閉蓋して輸送用に供するものである。
【実施例】
【０００７】  次に本発明の実施例を図面について説明すると、図１における梱包容器（１）は、各種の形状よりなり、断熱性を有する発泡合成樹脂等より、活貝類を入れる収容体（２）と、上部の蓋体（３）より構成されている。該収容体（２）には、図２に示す如く、内底部に冷海水（４）と共に、各種の水揚げされた帆立貝、２枚貝、カキ及びホッキ貝等の活貝類（５）を挿入する。
また、冷海水（４）と活貝類（５）には、上部適宜の空間の空気室（６）を構成する。次に、該空気室（６）には、上部に不透水の防水シート（７）を敷設すると共に、該防水シート（７）の上面に水を透す食品衛生商品の吸湿紙（８）を積層してある。なお該防水シート（７）は、中間の該空気室（６）を確保するために防水シート（７）の外周縁を該収容体（２）の外周縁に適宜の方法で支持するものである。
更に、吸湿紙（８）には、上部に海水または塩水より製造したミクロン状の人工海氷（９）を載置注入するものである。該人工海氷（９）を載置した後に断熱性を有する該蓋体（３）を閉蓋して活貝類の出荷を可能としたものである。
【図面の簡単な説明】
【０００８】
【図１】  本発明の梱包容器の全体的な斜面図である。
【図２】  同じく本発明の図１Ａ−Ａ線の縦断側面図である。
【符号の説明】
【０００９】１          梱包容器
２          収容体
３          蓋体
４          冷海水
５          活貝類
６          空気室
７          防水シート
８          吸湿紙
９          人工海氷
【図１】
2007020551.tif 000003
【図２】
2007020551.tif 000004